(57)【特許請求の範囲】
【請求項１】
ピグテール及びピグテール支えを備えるブラシを該ブラシを整流子に押圧するためのスプリングと共に金属製のケースに挿入装着して組み立てられた、整流子電動機に用いられるブラシ装置であって、
前記ケースを筒形のカップ状に形成し、
このケースの側壁の内側に底部に向けて突出するフックを形成し、
このフックの先端部と前記底部との間に、前記ピグテール支え及び前記スプリングの少なくとも一巻き分を共に挿入し係合できる間隔を保有させ、
前記ケースに対し先端開口部分より前記ピグテール支え及び前記スプリングを挿入すると共に、ブラシを押して前記フックと前記底部との間に、前記ピグテール支え及び前記スプリングのピグテール支え側の一部を嵌合し係合させてなることを特徴とするブラシ装置。
【発明の詳細な説明】
【０００１】
【産業上の利用分野】
本発明は、電動工具などの整流子電動機に使用されるブラシ装置の構造に関する。
【０００２】
【従来の技術と発明が解決しようとする課題】
電動工具などに使用される整流子電動機は、整流子の関係でブラシ装置を備えている。そして、このブラシ装置は、ブラシが消耗品であることから交換が容易に可能になるように構成されており、種々の構造が考えられ、試みられている。しかし、基本的な構造は何等変わることなくケースにブラシが挿入され、このブラシを整流子に押圧するスプリングとブラシに通電するためのピグテール支えから構成されている。
【０００３】
そして、従来最も多く採用されている構造は、図６に示される通り、金属製のケース１にブラシ２が挿入されており、ブラシ２は、スプリング３によって図示されない整流子に押圧されるように構成されており、ピグテール支え４を介して通電されるように構成されている。そして、ピグテール支え４とケース１とは、電気的に接続状態になるように接触しており、図示されない配線がケース１に行われ、ピグテール支え４を介してブラシ２に通電が行われるるように構成されている。
【０００４】
この様な構成では、通電に何等の支障がないものの、ブラシ装置としてケース１にブラシ２を組み立てるのに面倒な構造であった。すなわち、ケース１の外側にピグテール支え４を取り出すためにピグテール支え４を貫通させることができるスリット５をケース１の底部付近に形成しており、しかも、このスリット５を介してピグテール支え４をケース１の内部から外部へと貫通しなければならなかった。この様な組み立ては、小さい部品であることから容易ではなく、簡単な構造であるにも係わらず、ブラシ装置の組み立ては、面倒なものであり、また、消耗した場合の交換についても容易なものではなかった。さらに、ピグテール支え４に害力などが加わった際、スリット５からケース１の内部へ入ったりスリット５に沿ってピグテール支え４が移動して姿勢が変化するなどの問題を生じた。
【０００５】
本発明は、この様な事情に鑑みてなされたものであり、組み立てが容易であるばかりか、信頼性が高く、ブラシの交換が容易に行え、電動工具などブラシ装置が装着される機器にまでその経済的効果が及ぶ整流子電動機用のブラシ装置を提供することを目的としている。
【０００６】
【課題を解決するための手段】
本発明は、ピグテール及びピグテール支えを備えるブラシを該ブラシを整流子に押圧するためのスプリングと共に金属製のケースに挿入装着して組み立てられたブラシ装置であり、前記ケースを筒形のカップ状に形成し、このケースの側壁の内側に底部に向けて突出するフックを形成し、このフックの先端部と前記底部との間に、前記ピグテール支え及び前記スプリングの少なくとも一巻き分を共に挿入し係合できる間隔を保有させ、前記ケースに対し先端開口部分より前記ピグテール支え及び前記スプリングを挿入すると共に、ブラシを押して前記フックと前記底部との間にピグテール支え及び前記スプリングのピグテール支え側の一部を嵌合し係合させることによって課題を解決している。
【０００７】
【作用】
前記ケースに、ピグテール支え及びスプリングを挿入し押圧することにより、ピグテール支えがケースの底部付近に形成されるフックに衝合し、さらにピグテール支えがスプリングと共に押し込まれることにより、ピグテール支え及びスプリングの一部がこのフックを側壁側へ変形させてケースの底部に押し込まれることになる。フックの底部に押し込まれたピグテール支えは、フックが底部側に向けて突出している関係から容易に挿入装着できるが反対方向へ外すことは容易ではなく、ブラシがケースから容易に外れることがなくなり、またスプリングも、ピグテール支え側の一部が前記フックに係合して抜脱のおそれなく保持されることになり、このスプリングによってブラシがケースから安定して突出することになり、信頼性の高いブラシ装置を構成することができる。
【０００８】
【実施例】
本発明を図面に示された一実施例に基づいて説明すると、図１は、本発明のブラシ装置の縦断面図である。図２は、本発明のブラシ装置の組み立て状態を示す縦断面図である。図３は、本発明のブラシ装置の横断面図である。図４は、本発明の斜視図である。図５は、本発明のブラシ装置を使用した整流子電動機の縦断面図である。
【０００９】
図１において、ブラシ装置は、筒形のカップ状に形成された金属製のケース６にブラシ７が挿入されており、このブラシ７には、ピグテール８が取付けられており、ピグテール８の端部には、ピグテール支え９が取付けられている。そして、ピグテール支え９は、ケース６の底部内側に底部に向けて突出した２個のフック１０と底部との間に嵌合されて該フック１０に係合しており、さらにピグテール支え９とブラシ７との間に介在されたスプリング１１がブラシ７をケース６の外側へ押し出すように装着されている。
【００１０】
ケース６は、真鍮などの導電性が良好で加工が容易な金属が好ましく、従前のブラシ装置に用いられるケースと同じものでよい。そして、ピグテール支え９は、同じく真鍮や銅などの導電性がよい材料でよく、ピグテール８がピグテール支え９に取り付けられるものであればよい。さらに、スプリング１１は、導電性がなくてもよく、細く伸縮のスパーンが大きいものがよい。本発明の場合、前記のスプリング１１は、その一部、例えば図のように少なくとも一巻き分が、前記ピグテール支え９と共にフック１０の内奥側、すなわちフック１０とケース６の底部との間にピグテール支え９と共に嵌合されて前記フック１０に係合する構造となっている。そのため、前記フック１０の先端部と前記底部との間には、前記ピグテール支え９及び前記スプリング１１の少なくとも一巻き分を共に挿入し係合できる間隔を保有している。
図２において、ブラシ装置は、ケース６の先端開口部分からブラシ６が挿入される状態を示しており、ブラシ７に押されてスプリング１１とピグテール８とが縮められるように圧縮された状態でフック１０に押圧されており、この状態でさらにブラシ７をケース６に押し込むとフック１０をピグテール支え９が乗り越えるように構成されている。
【００１１】
図３において、ケース６には、端子１２が形成されており、端子１２は、ケース６の一部を切り曲げて外側へ突出するように構成されている。そして、この端子１２は、整流子電動機に組み込まれた際、ケース６を介してブラシ７に通電するように配線されるためのものである。さらに、ケース６には、フック１０を形成するため、ケース６の一部が切り曲げられてケース６の内側へ折り曲げられている。フック１０には、スプリング１１とピグテール支え９とがケース６の底部との間に係合するように構成されている。
【００１２】
図４において、ブラシ装置は、ケース６の一方の側部に切り曲げによってフック１０が形成されており、他方の側部に端子１２が切り曲げによって形成されている。そして、ケース６の開放部分からブラシ７が挿入装着されている。
【００１３】
図５において、ブラシ装置は、整流子電動機１３に装着されており、整流子電動機１３は、固定子１４と回転子１５とから構成されており、回転子１５には、整流子１６が備えられており、ブラシ７がスプリング１１によって押圧接触するように構成されている。この整流子１６は、ブラシ７に接触しながら回転するように構成されており、その間にブラシ７から回転子１５に電流を流すように構成されている。そして、整流子電動機１３は、電動工具などを構成するようになっている。
【００１４】
この様な構成において、ブラシ装置は、ケース６を真鍮などの比較的薄い金属で断面が四角形の筒状になるよう形成し、その際、切り曲げによってフック１０と端子１２とを形成する。そして、ブラシ７にはピグテール８とそのピグテール８に接続されたピグテール支え９とを備え、さらに、ピグテール支え９とブラシ７との間に、ブラシ７を整流子に押圧するスプリング１１を嵌合する。
【００１５】
そして、ケース６に対してその先端開口部分よりブラシ７をピグテール支え９を先にして嵌合し、図２に示されるようにケース６の底部に向けて押し込む。この時、ピグテール支え９がケース６の底部付近に形成されたフック１０に衝合することになるが、ブラシ７を強く押すことにより、フック１０は、入れ勝手に形成されておりその剛性によって変形するように側壁側へ後退し、ピグテール支え９を底部側へと通し、さらに、スプリング１１のピグテール支え９側の一部、例えば図１のように一巻き分程度がフック１０を乗り越えてピグテール支え９と共にフック１０の底部側へ嵌合し係合することになる。
【００１６】
ケース６の底部のフック１０に係合されたピグテール支え９とスプリング１１とは、ブラシ７を強く引っ張らない限り、ケース６から抜けて出ることがなくなり、ピグテール支え９、スプリング１１およびブラシ７を一体にしたブラシ装置を組み立てることができる。この様に組み立てられたブラシ装置は、図５に示された整流子電動機１３に組み込むことができる。
【００１７】
整流子電動機１３に組み込まれたブラシ装置は、端子１２から通電され、回転子１５を回転させることができ、万一ブラシ７が磨耗した場合は、ケース６を取り出して交換するか、あるいは、取り出したケース６から磨耗したブラシ７を強く引っ張ってケース６から抜き取り、新しいブラシ７を押し込んで組み立てるか、いずれかの方法よって新しいブラシ７と交換することができる。
【００１８】
この様にブラシ７をケース６から抜き取る場合、ブラシ７が強く引っ張られると、ピグテール８によってピグテール支え９が引っ張られ、ピグテール支え９は、フック１０の部分で変形してケース６から抜けて出ることになる。この時、フック１０は、ピグテール支え９が抜ける方向に向けて突出しているため、剛性によって変形することなく、柱の如く変形しにくい姿勢になり、ピグテール支え９が変形することになる。もちろん、ケース６ごと交換する場合は、ブラシ７をケース６から抜き取る必要はなく、整流子電動機１３から取り出したブラシ装置全体を交換すればよい。
【００１９】
この様なブラシ装置の組み立ては、ケース６にブラシ７を強く押し込むことで簡単に組み立てが行え、しかも、ピグテール支え９がフック１０に嵌合すると、スプリング１１によってブラシ７が押し出されるように作用してもピグテール８がフック１０に嵌合されてケース６の底部に固定されたピグテール支え９との間に張設されるようにケース６からブラシ７の飛び出しを規制するため、一体となり、部品としての扱いが極めて便利になる。
【００２０】
また、フック１０にピグテール支え９と共にスプリング１１の一巻き分程度を嵌合し係合するように構成するとスプリング１１がケース６の底部で移動しなくなり、ブラシ７を押圧するのに安定する。
【００２１】
【発明の効果】
本発明のブラシ装置は、ケースにブラシを押し込むことにより組み立てが完了し、構造が簡単なばかりか、フックにピグテール支えと共にスプリングの一部も係合しているため、組み立てなどの取扱い中や輸送中に何等かの衝撃で分解するといった障害の発生もなく、信頼性の高い部品として扱うことができ、その効果は、整流子電動機に組み込むブラシ装置として産業上の大きな効果が得られものである。
【図面の簡単な説明】
【図１】本発明のブラシ装置の縦断面図である。
【図２】本発明のブラシ装置の組み立て状態を示す縦断面図である。
【図３】本発明のブラシ装置の横断面図である。
【図４】本発明のブラシ装置の斜視図である。
【図５】本発明のブラシ装置を使用した整流子電動機の縦断面図である。
【図６】従来のブラシ装置の縦断面図である。
【符号の説明】
６……ケース
７……ブラシ
８……ピグテール
９……ピグテール支え
１０……フック
１１……スプリング
１２……端子
【図１】
0003543199.tif 000002
【図２】
0003543199.tif 000003
【図３】
0003543199.tif 000004
【図４】
0003543199.tif 000005
【図５】
0003543199.tif 000006
【図６】
0003543199.tif 000007